(57)【要約】  食料を調理するための交換可能なレンジトップ（ｈｏｂ）及び管状起立部材から成る交換可能レンジトップのモジュール式支持構造を備える屋外または屋内用の台所付属備品に関し、下端にサイドパネルによって縁の周りが囲まれかつ起立部材に固定された底部が取り付けられ、かつ側面にドアが蝶番止めされ、前記パネル及び前記ドアは湾曲している。モジュール式構造の上部において、レンジトップは前記起立部材の上端に嵌め込まれ、実質的円形のプレート、加熱及び調理手段、及びレンジトップ組立体の前面に沿って配置される加熱及び調理手段の作業温度を制御するためのそれぞれの制御装置を含む。付属備品は、共に取り付けられる１つ、二つまたはそれ以上の支持構造によって構成することができる。様々な種類の家庭用器具、例えば冷蔵庫、皿洗い機、オーブンをその中に設置することができる。
2007501026.tif 000002
【特許請求の範囲】
【請求項１】
食料を調理するための器具及びレンジトップのモジュール式支持構造を備える屋外/屋内用台所付属備品であって、前記レンジトップ支持構造は少なくとも３本の管状起立部材から成り、下端において、前記起立部材に固定された少なくとも１枚の垂直カーテンパネル及び側面で蝶番止めされたドアによって周縁が取り囲まれた底部が取り付けられ、前記パネル及び前記ドアが湾曲し、かつ前記モジュール式構造の上部において、円形プレート、加熱及び調理手段、ならびにレンジトップ組立体の前面に沿って配置される前記加熱及び調理手段の作業温度を制御するためのそれぞれの制御装置を含む交換可能なレンジトップが前記起立部材の上端に取り付けられていることを特徴とする、屋外/屋内用台所付属備品。
【請求項２】
少なくとも１つのレンジトップ支持構造から突出するリング要素が配置されていることを特徴とする、請求項１に記載の屋外/屋内用の台所付属備品。
【請求項３】
前記レンジトップ支持構造は第二レンジトップ支持構造を有する付属備品に組み込まれていることを特徴とする、請求項１及び２に記載の屋外/屋内タイプの台所付属備品。
【請求項４】
結合手段によって結合される二つのレンジトップ支持構造から成る付属備品が、オーブン、冷蔵庫、冷凍庫、皿洗い機または単純に棚付き区画室等の他の機能用の中間領域、及び上部にシンクまたは追加レンジトップの機能を有し、これらの機能が各々対応するレンジトップの二つの類似する支持構造の間に配置可能であり、交換可能なレンジトップが、各々、相互に異なる形態のタイプとすることができることを特徴とする、請求項１−３のいずれか１に記載の屋外/屋内タイプの台所付属備品。
【請求項５】
少なくとも２本の起立部材の各下端に車輪が取り付けられていることを特徴とする、請求項１−４のいずれか１に記載の屋外/屋内タイプの台所付属備品。
【請求項６】
少なくとも１本の起立部材が下端に調整可能な足を有することを特徴とする、請求項１−５のいずれか１に記載の屋外/屋内タイプの台所付属備品。
【請求項７】
各起立部材の各端、すなわちそれぞれ上端及び下端に、相互に直径方向に対峙する二重ショルダがあり、少なくとも１つのショルダが、固定タブを横切る方向に受けるためのスロットを有し、固定タブは、広い支持端が前記起立部材に対して直角になるように前記起立部材から突出していることを特徴とする、請求項１−６のいずれか１に記載の屋外/屋内タイプの台所付属備品。
【請求項８】
前記固定タブは、前記ショルダに固定される反対側より広い突出端を持つ実質的に平らな金属要素であり、前記起立部材の上端において、前記固定タブが前記レンジトップを構成する円形プレートのために周縁支持を付与していることを特徴とする、請求項１−７のいずれか１に記載の屋外/屋内タイプの台所付属備品。
【請求項９】
前記レンジトップを構成し前記加熱及び調理手段を支持する円形プレートが、その円弧に沿って、前記加熱及び調理手段の作業温度を制御するためにそれぞれの制御装置を有することを特徴とする、請求項１−８のいずれか１に記載の屋外/屋内タイプの台所付属備品。
【請求項１０】
前記支持構造のカーテンパネルがＵ字型の接続フランジによって前記起立部材に結合されていることを特徴とする、請求項１−９のいずれか１に記載の屋外/屋内タイプの台所付属備品。
【請求項１１】
前記レンジトップを構成し前記加熱及び調理手段を支持する円形プレートがそれに沿って二つの半円形座を有し、その各々が、それが結合されるそれぞれの起立部材の断面を取り囲んでいることを特徴とする、請求項１−１０のいずれか１に記載の屋外/屋内タイプの台所付属備品。
【請求項１２】
リング要素が前記付属備品を取り囲んでいることを特徴とする、請求項１−１１のいずれか１に記載の屋外/屋内タイプの台所付属備品。
【請求項１３】
組合せ支持構造が第一及び第二の支持構造から成り、その各々が二つの構造の相互に対面する側にカーテンパネルを持たず、かつ二つの支持構造を下部において連結する底部、二つの支持構造を上方で連結する上部及び裏部によって相互に連結されていることを特徴とする、請求項１−１２のいずれか１に記載の屋外/屋内タイプの台所付属備品。
【請求項１４】
前記底部が、支持される付属備品の供給のために配管及び電気接続の両方のための可能な接続通路として後部に開口を有し、かつ各支持構造の底部で側端に沿って固定され、前記上方連結上部が相対する二つの半円形座を持つように形成された側端を有し、前記半円形座の各々が二つの相対する半島形端部で終了し、前記半島形端部が２本の起立部材の上端で係合することを特徴とする、請求項１−１３のいずれか１に記載の屋外/屋内タイプの台所付属備品。
【請求項１５】
前記起立部材のうち少なくとも１本の上端のショルダにフラットアームが固定され、前記フラットアームが、それぞれの起立部材に対して直角であり、第一の調理用付属備品の支持構造の外側に向かって突出し、かつ前記調理用付属備品の支持構造の上端を外側で取り囲むリングを支持していることを特徴とする、請求項１−１４のいずれか１に記載の屋外/屋内タイプの台所付属備品。
【発明の詳細な説明】
【技術分野】
【０００１】
本発明は、車輪付きまたは固定位置用の屋外/屋内タイプの、食料を調理するための台所付属備品に関する。
【背景技術】
【０００２】
本発明は、排他的でないが特に、食事会（ｃａｔｅｒｉｎｇ）、宴会（ｂａｎｑｕｅｔｉｎｇ）、レストラン用及び一般的内装設備の分野に使用できる。
【０００３】
飲食物の供給部野において、この国の特に天候が穏やかな季節には、野外において食料を調理するために特に設計された設備が広く使用される。アングロサクソン系諸国に典型的なこの好ましい習慣は、屋外食事会または屋外交流目的の食事会及び宴会等だけでなく普通の家庭の望みを自由になる適宜空間で満足させるために、徐々に大衆化している。
【０００４】
屋外で食料を調理することの利点は、建物内において避けることのできないごみ及び匂いの蓄積なしに食料を調理できることから相当数の人を同時に戸外で受け入れることができることまで、様々である。また、この習慣の実施において、熟練した料理人が従事し食事を準備するのを眺める得る状態にあれば、自分が食べるものを消費者がさらに高く評価するという事実に実質的に関連するさらに微妙な楽しみがある。
【０００５】
これらの点及びその他の点は、時には言わば演出であっても、この分野に属する企業が多くは美的観点からまた多くは機能的観点から革新的方法を見つけることを促している。
【０００６】
この分野において、バーベキュー炉及び屋外用の調理器具が知られている。前者及び後者は両方とも、ほとんどプロパン、少量のプロピレン、ブタン、少量のブチレンなど多数の炭化水素の可変的な混合物から形成されるＬＰＧ（液化石油ガス）を用いるタイプのガス供給システムを使用する。ＬＰＧの利点は、適度な圧力で液化でき、液相における体積が気体の体積の約２５０分の１なので、この状態（液相）で貯蔵しやすく扱いやすい、と言う点にある。液相におけるＬＰＧの従来の梱包は、様々な容量を持つ「シリンダ」としてよく知られる保証付き可動金属容器から成るので、シリンダは常にバーベキュー炉及びさらには設備される調理器具に従わなければならない。場合によっては、調理面の下に配置されるほとんどの場合に適合するタイプのシリンダ用ハウジングがあり、その他の場合には、シリンダは調理設備とは別個の区画室の中にあり、便利な延長パイプによって調理器具に接続されることがある。その他の方法は、外部に使用することができるようにする接続金具を持つ建物内の既存の供給幹線に設備を接続することを想定する場合がある。要するに、調理面を供給するために多様な解決法があるが、最も一般的なのは未だに古典的なＬＰＧシリンダである。
【０００７】
伝統的なバーベキュー炉はこの使用分野に属する。例えば、ＣＡ２３２１１２１（Ｇｏｒａｎ）は、地面に対して直交する二つの側面からなるバーベキュー炉について説明しており、この上にＶ字型のパンの側面端を固定することができ、その上部に調理用グリルが載る。下部は、ガスバーナーまたは電気ヒーターを備える。
【０００８】
また、ＵＳ６１８２５６０（Ａｎｄｒｅｓｓ）は、前のものとは異なり、調理用グリルを支持する平行六面体形パンを支持する、端部で蝶番接続される伝統的な４本の脚から成るバーベキュー炉を提案している。前記パンの側面には炎よけが配置され、その各々がさらにグリルを支持することができる。最後に、使用状態のときバーベキュー炉の後に配置されるかオーブンとして使用される場合にはバーベキュー炉を閉鎖するために使用されるフードがある。問題の設備は、ガス供給タイプなので、パンに少なくとも１つのバーナーが備えられ、串、追加グリル及びその他の品など一連の付属品を備えることができる。
【０００９】
異なる調理システム、この場合には複合システムを有するバーベキュー炉を提案する代替解決法が、例えばＵＳ６１６７７９７（Ｂｏｌｌｉｃｈ）において説明されている。この仮説において、独特のシャレー形を有する可搬式バーベキュー炉は、いくつものレベルに調理室を有し、対流によって調理するための装置、食物を煮るため、揚げるための手段及び蒸すための手段を備える。
【００１０】
ＵＳ５４１３０８７（Ｊｅａｎ）は、丸形のバーベキュー炉を提案している。更に詳細には、これは実質的円形の容器から成り、その内部に従来通りガスが供給されるバーナーが取り付けられる。容器は、グリル、及びその上部で容器に被せることができる同じく円形の蓋を支持する。同種のものとして、トロリー構造に結合されるそれぞれのバーナーを備えた半球状土台を持つタイプのバーベキュー炉がＥＳ２１２９２９６（Ｈｏｍｅ）で提案されている。半球状土台には覆いとしてそれぞれのカバーが付いている。
【００１１】
ＵＳ４６８１０８３（Ｓｈｕ）は、調理し、炙り、焼き、バーベキューするための器具、及びそれぞれの加熱装置について説明している。更に詳細には、考慮される構造は、底部、二つの側面及び裏部を有する容器から成るレンジトップ（ｈｏｂ)を有し、この構造において底部に二つのバーナーが取り付けられる。第一バーナーは、単一の円形火口を有する従来の炎用のタイプのものであり、第二バーナーは、管状の直線火口を有する長手に伸びる炎用のタイプのものである。第一バーナーの場合には円形の、第二バーナーの場合には長方形の、両方とも、深鍋用の支持要素を上部に有する。装置の前部は、底に沿って、ガスの供給量を制御するための従来のノブ及び圧電点火をサポートするための関連装置を備えるタイプである。
【００１２】
前記レンジトップは、ほとんどの場合、木で作られるが金属から作られるモジュール式下部構造で支持され、これに固定される。下部構造は、1つまたはそれ以上の直交する棚の助けを借りて横材によって保持される４本またはそれ以上の直線の直立材から成る。直立材の底部は車輪だけ、足だけが付けられるか、またはその代わりに混合解決法が採用される。場合によっては、金属支持構造が採用され、周縁の周りを囲う壁によって囲まれるレンジトップ下の長方形区画室に接近できるよう、概ね前面に金属ドアが設けられる。
【００１３】
上述の解決法は以下の問題点に要約することができる。
【００１４】
まず、既知の調理機器は、購入後、バーナーを取り替えたり様々にアレンジしたりする可能性をユーザーに認めない。事実、調理機器が定められたタイプのバーナー付きで作られると、例えば、一方では従来の管状バーナーによって加熱される溶岩石用容器の下のグリル及び他方では同じく従来の管状バーナーによって加熱されるグリドルパンが作られると、元のバーナーを、深鍋を支持する異なる形状の要素となる他のものと取り替えることができるという都合の良い可能性がなくなることは確かである。これは、場合によっては魚用パン、揚げ鍋またはパエーリャ鍋用のバーナーを配置するなど、通常のもの以外の機能を必要とするかも知れない屋外調理器の典型例である。
【００１５】
従って、このような状況においては用意される料理の数と同じくらい多くの設備すなわち各特定のタイプのレンジトップに１つの設備を用意しなければならないことは明白である。その結果、食事会及び宴会の場合には設備及びそれぞれの材料の移動、設置及び客観的嵩の問題を生じ、また個人の使用者の場合には、レンジトップに予め想定される料理のためにしか調理器具を使用できないので、調理される様々な料理のタイプに関して料理の腕の披露に明らかな限界が課されると言う別の問題を生じる。そうでなければ、用意される食べ物の質に関して明らかに妥協して経験的に行動しなければならない。個人ユーザーのためまたは家庭における代替案は、調理される料理と同じくらいの数の調理器具を用意することであるが、設備の費用の点から、またこれらが定期的に使われるのではないと言う理由から、このような選択肢を提案することは不可能であることは明らかである。
【００１６】
また、コミュニティのための食料を提供する場合において、調理器具にＬＰＧが供給される場合、最良の場合にはシリンダはレンジトップのすぐ下の領域に配置される。既知の機器においては、これは、構造の土台近くの実質的に見えるところの棚であり、この棚で、シリンダは完全に見えているか、またはせいぜいレンジトップの下の領域において器具自体の前面を部分的に隠すカバリング・クロスまたはパネルの背後にある。実用的には、かなり見苦しい美的効果の他に、調理器の移動中、シリンダが突如落下して、その構成要素である個々の装置及び周りの支持構造自体を損傷するかも知れない。もう１つの欠点は、シリンダを納めるために設けられる区画室が、細分仕切りなしに長方形平面と共通面を持つことである。言い換えると、シリンダ・ホルダとして作用する棚のスペースは、皿及びその他の品を保持するために隣接する表面と共通であり、その結果、表面自体の細分が合理的でなく、使用可能スペースにかなりの損失を生じる。
【００１７】
調理器の一体部分であるレンジトップの平行六面体支持構造に関して、この構造は、ほとんど、木製構成要素で作られ、基本的に少なくとも４本の直立部材で形成され、直立部材に横接続要素及び直立部材と直交する１つまたはそれ以上の棚が結合される。４本の直立部材のうち少なくとも２本は、可能形態のうちの１つとして、それぞれの端部に車輪が取り付けられるので、調理器は従来のバーベキュー炉など可動タイプである。他の場合には、車輪は直立部材の４つの全ての端部にあるか、どの端部にもなく安定支持を採用する。前述した解決法は組み立てのために普通のナット及びボルトを必要とするので、木材と固定手段との相互作用が、必要な全体的安定を保証しない。心地よい外見ではあるが、木材は生きている材料であり、本来扱いにくく、特に調理器が変化する天候条件に曝されたままの場合、固定点において局部的に変形し曲がる傾向があることは周知である。このような状況は、不安定で、扱いにくい構造を生じ、絶えず正確な保守を必要とする。
【００１８】
車輪付きレンジトップ支持構造が使用される解決法に関するもう１つの欠点は、これを動かすためのハンドルに関係する。通常、ユーザーがより簡単に手押し車を押したり引いたりできるように、これらのハンドルは、支持構造の頭部または側面に対応する調理器の短い側面に取り付けられる。しかし、ハンドル及びそれぞれの支持は、不適切に位置を定められ、固定されることがかなり多く、局部的に曲がる傾向を持つか、または応力を受けて固定システムがゆるむ。かかる事態は、特に二つの車輪しか持たないタイプのトロリー構造を動かす場合、まずこれを動かせるように足が付いている側でこの構造を持ち上げる必要があるので、生じる。重量は無視できないので、ハンドルが突出しているために特にハンドルが曲がりやすく、これを修理または強化するために絶えず特定の作業を必要とすることは、明らかである。同様のことが、完全に車輪付きのレンジトップ支持構造に関しても言える。この場合、既知解決法は従来ハンドルに対する代替ハンドルを提供しないので、ハンドルが車輪付き構造の対向二端に配置されるため、ハンドルの移動は容易ではない。
【発明の開示】
【発明が解決しようとする課題】
【００１９】
発明の第一の目的は、レンジトップだけを、異なる数及び/または異なる形態の加熱手段例えば付属要素と考えられる制御装置付きのバーナーを有する別のレンジトップと迅速に取り替えるのが容易でかつ可能な調理器を実現することにある。このようにして、ランチ、ディナーまたはビュッフェのテーマを素早く変更することができ、料理人の想像力の余地を広く残す。
【００２０】
第二の目的は、決まりを最小限に抑え、在庫管理のより良い合理化を達成するために、組み立てやすい管状起立部材、側面形成パネル、アクセス・ドア及び様々な固定要素を含むレンジトップ支持構造が、レーザーカットによって得られる望ましくはスチール製の少数の構成要素で得られる、モジュール式機器を実現することにある。
【００２１】
第三の目的は、利用可能な空間を合理的に利用して、嵩を抑えることにある。これは、個々のレンジトップ支持構造の形状に円形を選択することによって可能になった。もっと特定して言うと、シリンダを収納するための区画室に関して、シリンダ自体が円形であることを考えるとこの形状は最も適切な形状であり、同時に、シリンダ収納区画室を他の隣接する区画室から分離することができる。これらの区画室は、例えば皿及びその他の品を貯蔵するためなど他の興味深い機能に割り当てることができる。
【００２２】
第四の目的は、既に述べたように例えば肉または魚用グリル、パエーリャ鍋、揚げ鍋、オーブンなど様々なタイプのレンジトップに適する、単独バージョンまたは第二の同様の構造との組合せバージョンで提案することができる、その様々な組合せで多目的となる支持構造を提案することである。この場合、中央部は、オーブン、皿洗い機、冷蔵庫を様々に装備することができ、またはその代わりに開放棚を備えることができ、一方、上部は、シンクを含むことができる。あるいは、その代わりに、カウンタ及び飲み物を提供するための冷蔵カウンタを装備するかアルコール飲料供給装置を装備できる。
【００２３】
第五の目的は、屋外/屋内用の台所備品に組み込まれ、かつ移動タイプまたは建物内部またはテラス、ポーチ及び他の場所など外部にセットするための固定位置を持つ固定タイプの調理器具の実現を可能にすることである。
【００２４】
第六の目的は、構造を押したり引いたりするための人間工学的要素として作用する他に、ユーザーをレンジトップから適切な距離に保ち、車輪付きの場合に特に安全要素として作用するのに適した、従来「フラフープ」と呼ばれる連続ハンドルの形の突出周縁リングを実現することであった。周縁リングは、調理用フォーク、あらゆる種類のスプーン、オイル及びスパイス・ラック及びその他の品など料理人の仕事を通常助けるあらゆる付属品を全てユニットの周りに吊るすために使用できるので、ユーザーにとっても便利である。
【００２５】
さらなる目的は、様々な気象条件に耐える頑丈な構造を得ることであった。レンジトップ支持構造の基本構成要素を作るためにスチールを使用することによって、この目的を達成することができた。
【課題を解決するための手段】
【００２６】
これらの目的及びその他の目的は、食料を調理するための器具及び交換可能なレンジトップのモジュール式支持構造を備える、屋外/屋内タイプの台所付属備品が示す問題を解決するために特許請求の範囲において記載された特徴に従って本発明によって達成される。前記レンジトップ支持構造は、少なくとも３本の管状起立部材を含み、下端において、前記起立部材に固定されるサイドパネル及び側面に蝶番で取り付けられるドアによって縁の周りが囲まれる底部が取り付けられ、前記パネル及び前記ドアが湾曲する。モジュール式構造の上部において、レンジトップが前記起立部材の上端に取り付けられ、前記レンジトップは実質的円形のプレート、例えばバーナー、電気素子またはその他の手段の形態の加熱及び調理手段、及びレンジトップ組立体の前面に配置される作業温度を制御するためのそれぞれの制御装置を含む。最後に、前記レンジトップ支持構造から突出して、周縁ハンドルとして作用する中断のない環状要素がある。前記支持構造は、オーブン、冷蔵庫、冷凍庫、皿洗い機など実質的に他の機能を有するもっと複雑な設備要素に組み込まれるか、または単に棚付き区画室及びシンク機能に組み込まれる。この最後の機能は、各々それぞれのレンジトップを支持する二つの同様の構造の間に付与されてよい。交換可能であるレンジトップは、反対側のものと異なる構造を持つタイプでもよい。
【００２７】
このように、直ちに技術的進化となる効果を持つかなりの創造的寄与を通じて、一定の目的が達成される。
【００２８】
上記及びその他の利点及び目的は、限定的ではなく例として細部が示される添付図面を参照する、好適実施形態に関する次の説明から理解されるであろう。
【発明を実施するための最良の形態】
【００２９】
図面を参照しながら第一の調理用付属備品１Ａ（図１）について説明する。この場合、支持構造は望ましくはスチール製の３本の管状で直線的な起立部材２から成り、管状起立部材は脚として作用し、相互に対して１２０度で配置される。前記起立部材２は、各端すなわちそれぞれ上端２０及び下端２１において、直径方向に相互に相対する二重ショルダ２２を実現し、ショルダにおいて少なくとも一方は固定タブ３を横切る方向で受けるためのスロット２２０を有する。前記固定タブ３は実質的に平らな金属要素であり、その一端３０が、スロット２２０に挿入される反対端３１より広く、一端３０はスロット２２０があるショルダと反対側のショルダ２２に得られる対応する座２２１に係合する。このように、一端３０は、各起立部材２に対して直角に、支持構造の内側で突出する。起立部材２の下端２１に適用される前記固定タブの機能は、円形底部４を支持することであり、この底部の周縁に沿って起立部材の周辺を部分的に取り囲む座４０がある。従って、底部４は、周縁でタブに当接し、タブ３にねじ止めされる。起立部材２にはそれぞれ２枚のカーテンパネル５が取り付けられ、かつ側面に従来のドア６が蝶番止めされる。このようにして、少なくともカーテンパネル５が、空気取入れ口５０と共に上側に沿って設けられ、筒形容器内の良好な循環が得られる。カーテンパネル５及び従来ドア６は両方とも、例えば光沢仕上げまたはサテン仕上げの湾曲スチール要素で作られ、その中に起立部材２を囲むように支持構造に結合される。特定事例においては、カーテンパネル５及び従来ドア６の固定は、二つの突出ウィング７０を有する実質的U字形の接続フランジ７によって行われる。更に具体的には、カーテンパネル５及び従来ドア６がそれぞれの各垂直縁の２点に沿って係合するように、二つの接続フランジが各起立部材２に対応する。さらに詳細には、対応する起立部材２に固定されるのは接続フランジの中央部であるのに対して、二つの相対する突出ウィング７０はカーテンパネル５及びドア６の垂直縁の係合を可能にする。
【００３０】
調理用付属備品１Ａの支持構造の上部は、レンジトップ８の交換可能な結合を想定している。特定事例において、図７を参照すると、レンジトップ８は、二つのバーナーを有するレンジトップ、１つのバーナーがフィッシュパン用である３つのバーナーを持つレンジトップ、または二つのバーナー及び１つの電気素子を持つレンジトップ、またはパエーリャパンまたは揚げ鍋またはパスタ調理器を持つレンジトップにとして表されている。レンジトップ８は、また、同じくスチールで作られるベースプレート８０を有し、これに加熱手段が結合される。この場合、ベースプレート８０は、加熱手段を取り囲み、それぞれの各起立部材２の丸い断面を部分的に取り囲む周縁座８１を有する、底部４の形状と同じ形状の円形である。それぞれの起立部材２の端部２０におけるベースプレート８０の固定は、底部４と同様に行われ、突出して起立部材２の各端２０に直角に係合してベースプレート８０の周縁部がこれに当接するようにしかつプレートを従来どおり普通のねじで固定できるようにする同じ固定タブ３を提供する。テンプレート８２も下面でベースプレート８０に直角に結合される。このテンプレートは、起立部材２と隣接する起立部材２との間にある円弧に対応する円周の部分に伸びる。
【００３１】
各起立部材２の上端２０のショルダ２２に支えられて、フラットアーム９が固定される。フラットアームはそれぞれの起立部材２に対して直角であり、第一の調理用付属備品１Ａの支持構造の外側に向かって突出する。従って半径方向に配置される前記フラットアームは、この場合に、管状スチールで作られる従来「フラフープ」と呼ばれる金属リング１５を支持する。金属リングは、第一の調理用付属備品１Ａの支持構造の上端外側を取り囲んで、偶発的接触の危険から保護し、組立体全体を丈夫にする機能を果たし、かつ移動のためのハンドルとして及び付属品を保持するために役立つ。
【００３２】
図１に示される形態において、第一の調理用付属備品１Ａの支持構造は、車輪付きで構成される。この目的のために、支持構造は、上下が逆のL字形の二つのブラケット１０を備え、下端２１に対応する水平フィンにより二つの起立部材２へ固定され、かつ垂直フィンは食品に適したＰＶＣで作られる車輪１１と係合する。最後に、残りの起立部材２は調整可能な足１２を備える。
【００３３】
調理用付属備品１Ａの支持構造の可能な変形は、組合せ支持構造１Bを想定している。図５は、この仮説を効果的に表している。この支持構造は、実質的に、第一及び第二の支持構造から成り、その両方が調理用付属備品１Ａと同様であり、その各々が相互に対面する二つの構造側にカーテンパネル５を有しない。この場合、底部で二つの支持構造１Ａを連結する底部１３、及び上方で前記の二つの支持構造１Ａを連結する上部１４が設けられる。底部１３に関して、支持される付属備品の供給のために配管及び電気的接続の両方のための接続を可能にする通路として後部に開口１３０を有し、かつ各支持構造の底部４で側端に沿って固定される。上方連結上部１４もスチールで作られるタイプのものであり、相対する半円形の座１４０を提供するように作られる側端を有する。その各々が、相対する二つの半島状端部１４１で終了する。これらの相対する半島状端部１４１は、単独支持構造１Ａに設けられた個々のフラットアーム９と同じ形状を有する。特定事例において、リング１５の固定及び突出支持のために、各単独支持構造１Ａは、外側を向く起立部材２の上端２０に固定される単一のフラットアーム９を使用する。隣の支持構造１Ａの起立部材２に対面する起立部材２の他の二つの上端２０は、相対する半島状端部１４１を支持し、これに係合し、この端部と共にそれぞれの上方連結上部１４と係合する。底部１３と上方連結上部１４との間には、後部に、レーザーカット・ステンレスから得られ、湾曲し、上縁に沿って空気取入れ口１６０を有する後部カーテンパネル１６がある。この特定事例において、組合せ構造の前部は、家庭電気製品１８を収納するための場所を形成する木材、プラスティックまたは金属のパネル１７を有する。家庭用電気製品は、例えば、オーブン、冷蔵庫、皿洗い機またはその他の電気製品であってよい。家庭用電気製品のための場所に対する可能な変形として、このようにして得られ二つの支持構造１Ａの間に残る区画室は、１枚またはそれ以上のドアで閉鎖されて、専用棚を装備してよい。付属要素を上方連結上部１４に設けることもできる。特定事例において、これは、それぞれの孔１４３によって上方連結上部に取り付けられる蛇口１９０に補助されるシンク１９を支持する大きな中央孔１４２によって表される。他の変形形態において、シンク１９の代わりに、１つまたはそれ以上の噴出口を有するバーナーまたはフライパン（ｇｌｉｄｄｌｅｓ）、パエーリャ鍋、パスタ調理器及びその他の品から成る追加の調理用器の使用を想定することができる。
【００３４】
上述の変形は、両方とも、台所の室内備品用の要素として車輪なしで安定配置の形態で供給することもできる。この解決法は当然車輪１１を使用せず、調整可能な足１２しか使用しない。
【図面の簡単な説明】
【００３５】
【図１】車輪付き調理器の単独レンジトップ支持構造の前面図である。
【図２】図１のレンジトップ支持構造の上部図である。
【図３】図１及び２のレンジトップ支持構造の分解図である。
【図４】起立部材の上端及び車輪付き調理器を取り囲むリングのそれぞれの固定装置の詳細図である。
【図５】備品に組み込まれる二つのレンジトップ支持構造を持つタイプの、図１のレンジトップ支持構造の変形の前面図である。
【図６】図５に示される変形の上部図である。
【図７】交換可能なレンジトップの一部と共に図５に示される変形を示す不等角斜視図である。
【図８】図５に示される変形の分解図である。
【図１】
2007501026.tif 000003
【図２】
2007501026.tif 000004
【図３】
2007501026.tif 000005
【図４】
2007501026.tif 000006
【図５】
2007501026.tif 000007
【図６】
2007501026.tif 000008
【図７】
2007501026.tif 000009
【図８】
2007501026.tif 000010
【国際調査報告】
2007501026.tif 000011
2007501026.tif 000012
2007501026.tif 000013